(57)【特許請求の範囲】
【請求項１】
軸筒後部の縮径部と尾冠の取付部の内側とに抜け止め用の嵌合手段を設けてなり、前記軸筒後部の縮径部と尾冠の取付部とに回り止め手段をさらに設けてなり、かつ前記回り止め手段が、軸筒後部の縮径部の外側に設けられた多角形状部と尾冠の取付部の内側に設けられた多角形状部とからなる尾冠取付構造において、前記筆記具が、一本軸である軸筒の側壁に押圧自在に設けられたサイドノックボタンを備えたサイドノック式筆記具でありかつ前記尾冠がクリップを備えており、組み立て時に前記尾冠のクリップがサイドノックボタンと同一線上に位置せしめられてなることを特徴とする筆記具の尾冠取付構造。
【請求項２】
前記嵌合手段は、軸筒後部の縮径部に形成された環状突条と尾冠の取付部の内側に形成された嵌合突起とから構成されてなる請求項１記載の筆記具の尾冠取付構造
【請求項３】
前記嵌合手段は、軸筒後部の縮径部に形成された嵌合突起と尾冠の取付部の内側に形成された環状突条とから構成されてなる請求項１記載の筆記具の尾冠取付構造。
【請求項４】
軸筒後部の縮径部と尾冠の取付部の内側とに抜け止め用の嵌合手段を設けてなる尾冠取付構造において、前記縮径部の尾冠取付部基部の内側が、後端ノック部材を係止する係止部を備えてなり、かつこの係止部が、内側の軸筒の軸心に近い係止角部が外側の軸筒の軸心に遠い係止基部より前方に位置するように形成されてなることを特徴とする筆記具の尾冠取付構造。
【請求項５】
前記嵌合手段は、軸筒後部の縮径部に形成された環状突条と尾冠の取付部の内側に形成された嵌合突起とから構成されてなる請求項４記載の筆記具の尾冠取付構造。
【請求項６】
前記嵌合手段は、軸筒後部の縮径部に形成された嵌合突起と尾冠の取付部の内側に形成された環状突条とから構成されてなる請求項４記載の筆記具の尾冠取付構造。
【請求項７】
前記軸筒後部の縮径部と尾冠の取付部とに回り止め手段をさらに設けてなる請求項４〜６のいずれかに記載の筆記具の尾冠取付構造。
【発明の詳細な説明】
【０００１】
【発明の属する分野】
この発明は、ボールペン、シャープペンシル等の筆記具の軸筒に尾冠を取り付けるための筆記具の尾冠取付構造に関する。
【０００２】
【従来の技術】
従来、接着剤を用いない筆記具の尾冠取付構造としては、実開平４−１１３９８４号公報に記載されたものがあった。図９はこの公報に記載された構造を示す。この構造によると、尾冠の脚部が軸筒の側壁に露出するために、軸筒の側壁にシルク印刷とか転写印刷等を行う名入れ市場を有する宣伝広告専門業界（米国のＡＳＩに相当）等においては全く適さなかった。
【０００３】
即ち、この従来例によると、シャープペンシル、ボールペン等の筆記具とクリップ１２１付き尾冠１１０との中空部１０１を有する軸筒１０２の軸端１０３からテーパ部の嵌合用溝１０４と、この嵌合用溝１０４の端に係止用の鍔部１０５と、更に、この鍔部から拡開用溝６とを設け、尾冠１１０には軸筒１０２の嵌合用溝と鍔部と拡開用溝１０６の一部に係合し、かつ先端部分のテーパ１０７を備えた係止用突起１０８を筒状嵌合部１０９の外周面一帯に設けてなる。なお、図８において、符号１１１は尾冠１１０の端面を示している。
【０００４】
【発明が解決しようとする課題】
このように、従来の軸筒と尾冠の取付構造によれば、軸筒の外周表面にその切り欠きおよび尾冠の異形嵌合部が露出してしまうので、美観上好ましくないとう問題点があった。
【０００５】
さらに、軸筒と尾冠との切れ目が軸筒の外表面に露出してしまうので、特に宣伝広告専門業界等が行う名入れ等のためのシルク印刷および転写印刷が困難であるという問題点があった。
【０００６】
他方接着剤を使うと、接着剤が接着箇所からはみ出て軸筒の外側の汚れとなって同様に美観を害する。さらに、接着剤によっては極めて強い異臭がするので、作業者またはユーザーの健康上の見地からも好ましくなかった。またさらに、軸筒又は尾冠の材質が、特にＰＥ（ポリエチレン）、ＰＰ（ポリプロピレン）等である場合には、本来の接着が不能であるという問題があった。なお、接着容易な材質であっても、接着不良又は接着剤の経時的劣化または変化等によって、尾冠が軸筒から抜け落ちることがあるという問題点があった。さらに、接着剤を用いた場合は、修理などで意図的に尾冠を外したい時においても、外すことが出来ないという問題点もあった。
【０００７】
そこで、この発明は、上記従来の欠点を解消したものであって、接着剤を使用しない構造としたので、接着剤により軸筒又は尾冠を汚して美観を損なうことがなくかつ修理などのために意図的に取り外しができる筆記具の尾冠取付構造を提供することを目的とする。
【０００８】
さらに、この発明は、軸筒と尾冠との嵌合部が軸筒の側壁から露出することがないので、名入れ等をシルク印刷又は転写印刷によって、容易かつ鮮明に印刷できる筆記具の尾冠取付構造を提供することを目的とする。
【０００９】
またさらに、この発明は、クリップ片が一体となった尾冠の場合、尾冠が取り付け後回転してクリップの位置ずれが生じることが無く、かつサイドノック式の一本軸からなる筆記具においては、組立時に角度合わせがし易いので、サイドノックボタンの同一線上にクリップ片が位置するように容易に組み立てられる筆記具の尾冠取付構造を提供することを目的とする。
【００１０】
上記目的を達成するために、この発明の筆記具の尾冠取付構造によれば、軸筒後部の縮径部と尾冠の取付部の内側とに抜け止め用の嵌合手段を設けてなり、前記軸筒後部の縮径部と尾冠の取付部とに回り止め手段をさらに設けてなり、かつ前記回り止め手段が、軸筒後部の縮径部の外側に設けられた多角形状部と尾冠の取付部の内側に設けられた多角形状部とからなる尾冠取付構造において、前記筆記具が、一本軸である軸筒の側壁に押圧自在に設けられたサイドノックボタンを備えたサイドノック式筆記具でありかつ前記尾冠がクリップを備えており、組み立て時に前記尾冠のクリップがサイドノックボタンと同一線上に位置せしめられてなる。
【００１１】
【発明の実施の形態】
以下、添付図面を参照してこの発明の実施の形態を詳細に説明する。
図１と図２とは、この発明の実施の形態による尾冠取付構造を示す。図において、筆記具の本体である軸筒（後軸）１の後部は、縮径部１１に形成されている。この縮径部１１の後部外周には、図３および図５に示すように長手方向に回り止め用の横断面多角形状部１２が形成されている。そして、この多角形状部１２の前方の周囲には、嵌合用の連続した突起である環状突条１３が形成されている。
【００１２】
さらに、縮径部１１の基部内側の係止部１４は、内側の軸筒１の軸心に近い係止角部が、外側の軸筒１の軸心に遠い係止基部より前方に位置するように形成されてなる。これによって組立時に、後端ノック部材であるプランジャ３の組付けが簡単で、さらに組み付け後はプランジャ３の係止部３３と係止して容易に抜け落ちないようにしている。
【００１３】
この軸筒１の後部には、クリップ２１付きの尾冠２が取り付けられている。即ち、この尾冠２は、図６に示すようにクリップ２１が一体とされた取付部としての取付リング部２２を有し、かつこの取付リング部２２の内側上部には、上記軸筒１の多角形状部１２に対応して、回り止め用の横断面多角形状部２３が形成されている。なお、クリップ２１の先端近傍の内側には押圧用の凸部２１１が形成されている。
【００１４】
さらに、この多角形状部２３から前方に離間した内壁には、対向して一対の不連続な嵌合突起２４が形成されている。即ち、これらの嵌合突起２４は、図６および図７に示すように、横長の突起形状に形成され、かつその各稜線が面取りされている。従って、尾冠２の取付リング部２２が、軸筒１の縮径部１１に押し込まれた時、この縮径部１１の環状突条１３をスムーズに乗り越えて嵌合することができる。
【００１５】
なお、ノック部材であるプランジャ３は、後端が閉塞された中空の筒状体からなり、かつ後端の大径のノック部３１と先端のカム部３２とから一体的に構成されてなる。そして、その外側には、軸筒１の内周に形成された固定カムであるカム溝１５と係合するガイドリブが設けられている。このプランジャ３の後部内部には、コイルスプリングであるノックスプリング４が設けられて、プランジャ３を後方に付勢している。さらに、プランジャ３のカム部３２と係合する前部外側には、カム部が形成された回転カム５が軸筒の固定カムのカム溝１５とも係合して設けられている。なお、この回転カム５によって作動せしめられるボールペンレフィール６が軸筒１内に摺動可能に設けられている。
【００１６】
この発明は上記した通りの構成であるので、軸筒１に尾冠２を取り付ける場合は、軸筒１の後端に形成された環状突条１３に尾冠２の嵌合突起２４を圧入すると、嵌合突起２４は不連続な突起であるので容易に撓んで変形する。その結果、嵌合突起２４は環状突条１３を容易に乗り越えるので、尾冠２を軸筒１に簡単に取り付けることが出来る。この時、尾冠２の前端面がちょうど軸筒１の縮径部１１後端の隣接する直立壁面に当接するようにしておけば、尾冠２は軸筒１により堅固に取り付けられる。その結果、取り付け後は尾冠２の嵌合突起２４が軸筒１の環状突条１３に係止されているので、尾冠２は軸筒１から容易に抜け落ちることがなくなる。
【００１７】
以下、上記発明の実施の形態による筆記具の尾冠取付構造を用いたボールペンの動作について説明する。
プランジャ３の後端をノックすると、プランジャ３内のノックスプリング４を圧縮してプランジャ３が前進せしめられる。この前進過程で、プランジャ３の前端のカム部が回転カム５のカム部に作用して回転カム５を回転して前進せしめる。これによって、回転カム５に当接したレフィール６を前進せしめて、その先端を軸筒１の先端開口から突出せしめて筆記状態とする。筆記終了後は、再度プランジャ３をノックすると、回転カム５が回転して後退すると共にレフィール６も後退して軸筒１内に収納される。
【００１８】
上記発明の実施の形態においては、嵌合手段は、軸筒１後部の縮径部１１に形成された環状突条１３と尾冠２の筒状取り付け部内側に形成された嵌合突起２４から構成されてなる例について述べたが、この発明はこの嵌合例に限定されるものではない。即ち、上記実施の形態で述べられた軸筒１と尾冠２とに設けられた環状突条１３と嵌合突起２４との嵌合手段は、逆でも良い。即ち、軸筒１に嵌合突起が設けられ、他方尾冠２に環状突条が設けられたものも含まれるのは勿論である。
【００１９】
また、この発明は、クリップ２１と尾冠２と別体のものや、クリップ２１のない尾冠２のみの場合の尾冠取り付け構造にも有効である。
【００２０】
また、上記発明の実施の形態においては、後端ノック式のボールペンにおける尾冠取付構造について説明したが、軸筒１の側壁に押圧自在に設けられたサイドノックボタンを備えたサイドノック式筆記具において、前軸と後軸が一体化されたいわゆる一本軸の場合には、クリップ２１と一体の尾冠２を用いる場合にさらに利点がある。即ち、この発明の尾冠取付構造によれば、組み立てに際して回り止め手段である多角形状部によって角度合わせが容易となるので、サイドノックボタンとクリップとを正面側の同一線上に位置せしめ易いという利点もある。
【００２１】
【発明の効果】
この発明は、上記した通りの構成であるので、接着剤を使用しないため接着剤により軸筒や尾冠等を汚すことがなく、さらにＰＥ、ＰＰ等の材質によって接着剤が使用できない場合にも、尾冠を確実に取り付けることが出来るという優れた効果がある。
【００２２】
また、この発明によれば、尾冠の一部が軸筒の側壁から露出することがないので、名入れ等をシルク印刷又は転写印刷によって、容易かつ鮮明に印刷出来るという効果もある。
【００２３】
さらに、この発明によれば、特にサイドノック式筆記具において、クリップが一体となった尾冠を一本軸に取り付ける場合、尾冠が取り付け後回転してクリップの位置ずれが生じることが無く、かつ組み込みに際してサイドノックボタンの同軸上にクリップが位置するように角度合わせが簡単にできるので、クリップがサイドノックボタンと同一線軸上に位置することが容易に出来るという効果もある。
【００２４】
またさらに、この発明によれば、尾冠を軸筒に取り付け後に、修理等で軸筒から尾冠を意図的に外す必要の生じた時には、接着構造でないので尾冠を取り外すことが出来るという効果もある。
【図面の簡単な説明】
【図１】この発明の実施の形態による尾冠の取付構造を示す要部拡大縦面図である。
【図２】図１の尾冠の取付構造の拡大縦断面図である。
【図３】図１の軸筒（後軸）の正面図である。
【図４】図３の軸筒の拡大縦断面図である。
【図５】図３の軸筒のＡ−Ａ線に沿った断面図である。
【図６】図１のクリップ付き尾冠の縦断面図である。
【図７】図６の尾冠のＢ−Ｂ線に沿った断面図である。
【図８】図６の尾冠のＣ−Ｃ線に沿った断面図である。
【図９】従来の筆記具の尾冠取付構造の正面図である。
【符号の説明】
１  軸筒
１１  縮径部
１２  多角形状部
１３  環状突条
１４  係止部
１５  カム溝
２  尾冠
２１  クリップ
２１１  凸部
２２  取付リング部（取付部）
２３  多角形状部
２４  嵌合突起
３  プランジャ
３１  ノック部
３２  カム部
３３  係止部
４  ノックスプリング
５  回転カム
６  レフィール
【図１】
0003935351.tif 000002
【図２】
0003935351.tif 000003
【図３】
0003935351.tif 000004
【図４】
0003935351.tif 000005
【図５】
0003935351.tif 000006
【図６】
0003935351.tif 000007
【図７】
0003935351.tif 000008
【図８】
0003935351.tif 000009
【図９】
0003935351.tif 000010